(57)【要約】【課題】携帯電話を充電できるパソコン用キーボードを提供する。【解決手段】パソコン用キーボード１０のうち複数のキー１２が配列された表面の空いている部分には、携帯電話５０を充電するための携帯電話用充電器２０が組み込まれている。携帯電話用充電器２０には形状適合器３０が嵌め込まれる。形状適合器３０は、携帯電話５０の形状に適合させた形状をもつ。携帯電話５０には様々な形状のものがあり、様々な携帯電話５０の形状に合わせて様々な形状の形状適合器３０が作製される。形状適合器３０に携帯電話５０を保持させることにより、パソコン用キーボード１０のキー１２を操作しながら（押しながら）携帯電話５０の表示部５６を見られる。【選択図】　　　図１
2004038262.tif 000002
【特許請求の範囲】
【請求項１】
パーソナルコンピュータに文字を入力したりパーソナルコンピュータの機能を実行させたりする際に押される複数のキーが配列されたパソコン用キーボードにおいて、
携帯電話を充電するための携帯電話用充電器が組み込まれたことを特徴とするパソコン用キーボード。
【請求項２】
前記携帯電話用充電器は、
前記複数のキーが配列された表面に形成されたものであることを特徴とする請求項１に記載のパソコン用キーボード。
【請求項３】
前記携帯電話用充電器は、
前記複数のキーを押すときに、該携帯電話用充電器に取り付けられた携帯電話の表示部が見える位置に形成されたものであることを特徴とする請求項２に記載のパソコン用キーボード。
【請求項４】
接続されるパソコン本体から供給される電力を所定電圧の電力に変換して携帯電話に供給する充電用電気回路が内蔵されたものであることを特徴とする請求項１，２，又は３に記載のパソコン用キーボード。
【請求項５】
前記携帯電話用充電器に着脱自在に装着されると共に携帯電話を保持する、この携帯電話の形状に適合した形状適合器を備え、
前記携帯電話用充電器に装着された前記形状適合器に保持されている携帯電話は該形状適合器を介して充電されることを特徴とする請求項１から４までのうちのいずれか一項に記載のパソコン用キーボード。
【発明の詳細な説明】
【０００１】
【発明の属する技術分野】
本発明は、パーソナルコンピュータ（パソコン）に文字を入力したりパソコンの機能を実行させたりする際に使用される複数のキーが配列されたパソコン用キーボードに関する。
【０００２】
【従来の技術】
従来、パソコンが広く使用されている。パソコンには、通常、このパソコンに文字を入力したりこのパソコンの機能を実行させたりする際に使用されるパソコン用キーボードがコード（ケーブル）で接続されている。パソコン用キーボードは、周知のように、板状のものであり、その表面には複数のキーが配列されている。
【０００３】
ところで、携帯電話も広く使用されている。この携帯電話には充電式電池（電池パック）が組み込まれており、携帯電話は電池パックの電力で作動するように構成されている。携帯電話を長期間使用した場合、電池パックの電力は消費されるが、電池パックは充電することにより繰り返し使用できる。電池パックを充電する際は、携帯電話を所定の充電器に装着して保持させておく。充電器には充電用ケーブルの一端が接続されており、この充電用ケーブルの他端は家庭用コンセント（交流（ＡＣ）電源）に接続される。なお、充電器には、一般に、交流電流を直流電流に変換する電気回路が内蔵されている。
【０００４】
【発明が解決しようとする課題】
上記したパソコンは、通常、パソコン用デスクに置かれて使用されることが多い。このパソコン用デスクにはパソコン用キーボードも置かれるので、パソコンとパソコン用キーボードを接続するケーブルもパソコン用デスクに置かれる。
【０００５】
また、上記のパソコン用デスクに携帯電話を置く場合、携帯電話用の充電器をパソコン用デスクに置いておき、この充電器に携帯電話を保持させておくことがある。パソコン用デスクに携帯電話用の充電器を置くことにより携帯電話を充電できる。しかし、このようにパソコン用デスクにパソコン用キーボードや携帯電話用充電器などを置いておく場合、パソコン用デスクが複数のケーブルで煩雑となる。また、パソコン用デスクが狭いときは、携帯電話用の充電器を置けないこともある。
【０００６】
本発明は、上記事情に鑑み、携帯電話を充電できるパソコン用キーボードを提供することを目的とする。
【０００７】
【課題を解決するための手段】
上記目的を達成するための本発明のパソコン用キーボードは、パーソナルコンピュータに文字を入力したりパーソナルコンピュータの機能を実行させたりする際に押される複数のキーが配列されたパソコン用キーボードにおいて、
（１）携帯電話を充電するための携帯電話用充電器が組み込まれたことを特徴とするものである。
【０００８】
ここで、
（２）前記携帯電話用充電器は、前記複数のキーが配列された表面に形成されたものであってもよい。
【０００９】
また、
（３）前記携帯電話用充電器は、前記複数のキーを押すときに、該携帯電話用充電器に取り付けられた携帯電話の表示部が見える位置に形成されたものであってもよい。
【００１０】
さらに、
（４）接続されるパソコン本体から供給される電力を所定電圧の電力に変換して携帯電話に供給する充電用電気回路が内蔵されたものであってもよい。
【００１１】
さらにまた、
（５）前記携帯電話用充電器に着脱自在に装着されると共に携帯電話を保持する、この携帯電話の形状に適合した形状適合器を備え、
（６）前記携帯電話用充電器に装着された前記形状適合器に保持されている携帯電話は該形状適合器を介して充電されるように構成してもよい。
【００１２】
【発明の実施の形態】
図面を参照して本発明の実施形態を説明する。
【００１３】
図１から図４までを参照して、本発明のパソコン用キーボードの一実施形態を説明する。
【００１４】
図１は、形状適合器が装着されたパソコン用キーボードを示す斜視図である。
図２は、携帯電話を充電中のパソコン用キーボードを示す斜視図である。図３は、携帯電話用充電器や形状適合器を拡大して示す斜視図である。図４は、パソコン用キーボードに内蔵された電気回路の一部を示すブロック図である。
【００１５】
パソコン用キーボード１０には、パソコン（図示せず）に文字を入力したり、このパソコンの機能を実行させたりする際に押される複数のキー１２が配列されている。これら複数のキー１２は、パソコン用キーボード１０の表面に配列されている。また、パソコン用キーボード１０には、このパソコン用キーボード１０とパソコンとを電気的に接続するためのコード１４が接続されている。
【００１６】
パソコン用キーボード１０の内部には、図４に示すように、各種の電気回路が組み込まれている。パソコン用キーボード１０には、このパソコン用キーボード１０とパソコンとを電気的に接続するためのコネクタ１６が組み込まれている。
このコネクタ１６には、コード１４の一端部が接続されている。パソコンの電源がオンされたときは、コード１４とコネクタ１６を経由して電力がパソコン用キーボード１０に供給される。また、パソコン用キーボード１０の内部には、このパソコン用キーボード１０を駆動させるための電気回路１８も組み込まれている。コネクタ１６と電気回路１８は周知のものである。
【００１７】
さらに、パソコン用キーボード１０の内部には、後述する携帯電話用充電器２０の充電用電気回路２６も組み込まれている。この充電用電気回路２６には、パソコンからコネクタ１６を経由して例えば５Ｖの直流電圧が供給される。充電用電気回路２６では、この５Ｖの直流電圧が、携帯電話５０に応じた直流電圧（例えば５．２Ｖ）に変換される。なお、パソコン用キーボード１０をパソコンに接続せずに単独で充電用に使用できる構成にしてもよい。このように構成した場合は、充電用電気回路２６が交流電圧（例えば１００Ｖ）を直流電圧（例えば５．２Ｖ）に変換するように構成する。
【００１８】
パソコン用キーボード１０のうち複数のキー１２が配列された表面の空いている部分には、携帯電話５０を充電するための携帯電話用充電器２０が組み込まれている。このため、パソコン用キーボード１０の大きさを変えずに、携帯電話５０を充電する充電機能をもたせることができる。携帯電話用充電器２０には、後述する形状適合器３０が嵌め込まれる（装着される）凹部２２が形成されている。即ち、パソコン用キーボード１０の表面に凹部２２が形成されていることとなる。この凹部２２の底面からは、図３に示すように、携帯電話５０に電力を供給するための２本の端子２４が突出している。これら２本の端子２４は、充電用電気回路２６に接続されている。携帯電話用充電器２０は、凹部２２、２本の端子２４、及び充電用電気回路２６などから構成されている。
【００１９】
上記の凹部２２に嵌め込まれる形状適合器３０は、携帯電話５０の形状に適合させた形状をもつ。携帯電話５０には様々な形状のものがあり、様々な携帯電話５０の形状に合わせて様々な形状の形状適合器３０が作製される。形状適合器３０には、携帯電話５０を保持するための凹部３２が形成されている。この凹部３２の底面からは、端子２４に接続される端子３４が突出している。形状適合器３０を携帯電話用充電器２０の凹部２２に嵌め込むことにより、端子２４と端子３４とが電気的に接続される。また、凹部３２に携帯電話５０を差し込むことにより、パソコン用キーボード１０のキー１２を操作しながら（押しながら）携帯電話５０の表示部５６を見られる。
【００２０】
携帯電話５０には、この携帯電話５０を充電するためのコネクタ５２が形成されており、このコネクタ５２を通して携帯電話５０の電池パック（図示せず）に電力が供給される。また、携帯電話５０には、操作のための各種のボタン５４が配列されている。さらに、携帯電話５０には、使用状態や受信状態などが表示される表示部（ディスプレイ）５６も形成されている。
【００２１】
携帯電話５０を充電する（正確には、携帯電話の電池パックを充電する）ためには、携帯電話用充電器２０の凹部２２に形状適合器３０を嵌め込んでおき、携帯電話５０のコネクタ５２が形状適合器３０の凹部３２の端子３４に接触するように携帯電話５０を形状適合器３０の凹部３２に装着する（差し込む）。これにより携帯電話５０が形状適合器３０に保持されると共に、パソコンからパソコン用キーボード１０や携帯電話用充電器２０を経由して携帯電話５０に電力が供給されて充電される。また、上述したように形状適合器３０の凹部３２に携帯電話５０を差し込むことにより、パソコン用キーボード１０の複数のキー１２を操作しながら（押しながら）携帯電話５０の表示部５６を見られるので使い勝手が良い。また、携帯電話用充電器２０をコンセント（１００Ｖ）に接続するためのコードも不要であるので、部品点数を削減できると共にパソコン用キーボード１０の周辺が整理されて煩雑にならない。なお、携帯用のパソコン（ノート型パソコン）のキーボードに、上記した携帯電話用充電器を組み込んでも良い。
【００２２】
【発明の効果】
以上説明したように本発明のパソコン用キーボードには携帯電話用充電器が組み込まれているので、この携帯電話用充電器で携帯電話を充電できる。このため、携帯電話を充電するための充電器を、パソコン用キーボードとは別途に用意する必要が無い。この結果、例えばパソコン用デスクの上にパソコン用キーボードを置いておくだけで携帯電話を充電できる。
【００２３】
ここで、前記携帯電話用充電器は、前記複数のキーが配列された表面に形成されたものである場合は、携帯電話用充電器がパソコン用キーボードの表面に形成されているので、携帯電話用充電器に携帯電話を取り付けたり取り外したりし易い。
【００２４】
また、前記携帯電話用充電器は、前記複数のキーを押すときに、該携帯電話用充電器に取り付けられた携帯電話の表示部が見える位置に形成されたものである場合は、パソコン用キーボードのキーを押しながら（操作しながら）携帯電話の表示部を見ることができるので、使い勝手の良いパソコン用キーボードが得られる。
【００２５】
さらに、接続されるパソコン本体から供給される電力を所定電圧の電力に変換して携帯電話に供給する充電用電気回路が内蔵されたものである場合は、携帯電話用充電器にコンセント（家庭用の電源コンセント）から電力を供給するためのコード（ケーブル）が不要である。このため、使い勝手の良いパソコン用キーボードが得られる。
【００２６】
さらにまた、前記携帯電話用充電器に着脱自在に装着されると共に携帯電話を保持する、この携帯電話の形状に適合した形状適合器を備え、前記携帯電話用充電器に装着された前記形状適合器に保持されている携帯電話は該形状適合器を介して充電される場合は、複数の携帯電話の形状が互いに異なるときは、適切な形状適合器を使用することによって、形状の異なる携帯電話であってパソコン用キーボードで充電できる。
【図面の簡単な説明】
【図１】形状適合器が装着されたパソコン用キーボードを示す斜視図である。
【図２】携帯電話を充電中のパソコン用キーボードを示す斜視図である。
【図３】携帯電話用充電器や形状適合器を拡大して示す斜視図である。
【図４】パソコン用キーボードに内蔵された電気回路の一部を示すブロック図である。
【符号の説明】
１０　パソコン用キーボード
１２　キー
２０　携帯電話用充電器
２６　充電用電気回路
３０　形状適合器
５０　携帯電話
【図１】
2004038262.tif 000003
【図２】
2004038262.tif 000004
【図３】
2004038262.tif 000005
【図４】
2004038262.tif 000006